(57)【要約】【課題】本発明は、一年を通して上下二段で当月と次月の順序が変動せずに、常に連続する二ヶ月分の暦を同時に一覧できることを特徴とする切り貼り式連続カレンダーに関するものである。【解決手段】矩形の台紙と所定枚数の暦葉が一体的に係着され、切り離した最表部の当月暦葉を所定の方法で上記台紙面に定着することにより、一年を通して上下二段で当月と次月の順序が変動せずに、常に連続する二ヶ月分の暦を同時に一覧できることを特徴とする切り貼り式連続カレンダーを提供する。【選択図】図２
2005297389.tif 000002
【特許請求の範囲】
【請求項１】
矩形の台紙と所定枚数の暦葉が一体的に係着され、切り離した最表部の当月暦葉を所定の方法で上記台紙面に定着することにより、一年を通して上下二段で当月と次月の順序が変動せずに、常に連続する二ヶ月分の暦を同時に一覧できることを特徴とする切り貼り式連続カレンダー。
【請求項２】
台紙上部に剥離再付着可能な不乾性糊を塗布した糊付部を設けたことを特徴とする請求項１記載の切り貼り式連続カレンダー。
【請求項３】
二つ折りできる所定枚数の暦葉とその外側に該暦葉と略同形状の厚紙からなる表紙状の台紙を重ね合わせ、折り位置となる中心線に沿って所定方法で冊子状に綴合されたカレンダーにあって、上記台紙の自由端辺から吊り下げ用小孔までの長さは、暦葉の切り離しミシン目線から暦葉小孔までの長さよりやや長くすることを特徴とする請求項１記載の切り貼り式連続カレンダー。
【発明の詳細な説明】
【技術分野】
【０００１】
本発明は、一年を通して上下二段で当月と次月の順序が変動せずに、常に連続する二ヶ月分の暦を同時に一覧できることを特徴とする切り貼り式連続カレンダーに関するものである。
【背景技術】
【０００２】
カレンダーは単に日付と曜日を確認するだけでなく予定表として使われることも多く、そのためには常に近い将来の暦が一覧できる必要がある。しかし、従来の二ヶ月カレンダーは、図７（Ａ）のように一枚の暦葉に連続する二ヶ月分の暦を併記したものが多いが、後の月の後半ともなれば、次月の予定を記入するためには、その都度使用中の暦を捲り上げ、次月の暦を活用しなければならないという煩わしさがあった。しかも次月の予定を記入しても、当月においては見ることができないという難点があった。
【０００３】
そこで図７（Ｂ）のように、一枚の暦葉に連続する二ヶ月分の暦を併記したカレンダーで、前の月が終了した時点でその終了した暦部分を切り取ることによって、さらに連続する二ヶ月分の暦が一覧できるように切り取り線３１を設けたものもある。（例えば特許文献１、２及び３参照）
【０００４】
【特許文献１】実用新案公開平６−０２００６５号
【特許文献２】特許公開平８−０７２４３８号
【特許文献３】特許公開平１１−２６８４４６号
【発明の開示】
【発明が解決しようとする課題】
【０００５】
確かに、特許文献１、２及び３に記載のカレンダーは一年を通して当月と次月の連続する二ヶ月分の暦を同時に一覧できるが、偶数月から始まる二ヶ月は月の並びが逆転するので、使用上の違和感から使い辛いという難点がある。そこでこの発明は一年を通して当月と次月の順序が変動せずに、常に連続する二ヶ月分の暦を同時に一覧でき、予定表としても優れた機能を有する切り貼り式連続カレンダーを提供することを課題とする。
【課題を解決するための手段】
【０００６】
本発明は、上記の問題点を解決するために、矩形の台紙と所定枚数の暦葉が一体的に係着され、切り離した最表部の当月暦葉を所定の方法で上記台紙面に定着することにより、一年を通して上下二段で当月と次月の順序が変動せずに、常に連続する二ヶ月分の暦を同時に一覧できることを特徴とする切り貼り式連続カレンダーを提供する。
【発明の効果】
【０００７】
本発明の切り貼り式連続カレンダーは、矩形の台紙と所定枚数の暦葉が一体的に係着され、切り離した最表部の当月暦葉を所定の方法で上記台紙面に定着することにより、一年を通して上下二段で当月と次月の順序が変動せずに、常に連続する二ヶ月分の暦を同時に一覧できる構造にしているので、最大二ヶ月先まで、最小でも一ヶ月先までが一覧できるので、予定表としても優れた機能と効果を発揮するものである。
【発明を実施するための最良の形態】
【０００８】
本発明の好適な実施形態を図面に基づき説明する。
【実施例】
【０００９】
図１は、本発明の切り貼り式連続カレンダーの第一の実施形態を示す説明図であり、（Ａ）は所定枚数の暦葉を重ね合わせた暦葉束１を示す図で、（Ｂ）は該暦葉束１を係着保持し、壁面に吊着するための吊着用台紙３の正面図であり、（Ｃ）は本発明の第一の実施形態を示す斜視図である。
【００１０】
図１（Ａ）において、所定枚数の暦葉を重ね合わせた暦葉束１の上端部２は切り離し可能な接着剤で綴合されている。図１（Ｂ）において、吊着用台紙３は、矩形の上記暦葉束１と略同形状の厚紙からなり、上縁部中央に吊り下げ用小孔４と、下縁部に該暦葉束１を係着するための両面テープ５と、係着された該台紙３と該暦葉束１の全体を略半分に折り畳めるところに折り線６と、上記吊り下げ用小孔４の直下に該台紙上縁部と平行した所定の幅で、剥離再付着可能な不乾性糊を塗布した糊付部７とを備えている。図１（Ｃ）における切り貼り式連続カレンダーは、前記暦葉束１の最終月暦葉の裏面上縁部と前記台紙下縁部を両面テープ５で係着している。ただし、この係着方法は両面テープに限るものではなく、該暦葉束１と該台紙３を固定係着できる接着剤を使用してもよい。
【００１１】
図２は、図１のカレンダーにおける使用状態の説明図であり、（Ａ）は一月から二ヶ月分の使用状態の斜視図であり、（Ｂ）は二月から二ヶ月分の使用状態の斜視図である。図２（Ａ）において、前記暦葉束１から最表部の一月暦葉８を切り離し、該一月暦葉上縁部９の裏面を前記台紙の糊付部７に接着安定させることにより、一月暦葉８と二月暦葉１０が同時に一覧できる。
【００１２】
図２（Ｂ）においては、一月終了時点で、一月暦葉８を前記台紙３の糊付部７から撤去するとともに、前記暦葉束１から最表部の二月暦葉１０を切り離し、該二月暦葉上縁部１１の裏面を前記台紙の糊付部７に接着安定させることにより、二月暦葉１０と三月暦葉１２が同時に一覧できる。以後毎月同様の作業を繰り返すことにより、一年を通して順序が変動せずに、常に連続する二ヶ月分の暦を同時に一覧できるので、予定表としても優れた機能と効果を発揮するものである。
【００１３】
なお図示は省略するが、図１（B）においては、吊着用台紙３に剥離再付着可能な不乾性糊を所定の幅で塗布した糊付部７を設けていたが、反対に、最終暦葉を除く全ての暦葉の裏面上縁部に夫々剥離再付着可能な不乾性糊が塗布されていてもよい。また、吊着用台紙３自体が常に単月分の暦葉を吸着保持するだけの静電気を帯びた性質を持った素材で構成されていても良い。
【００１４】
図３は、本発明の切り貼り式連続カレンダーの第二の実施形態を示す説明図である。（Ａ）は第二台紙１３を示す要部拡大斜視図であり、（Ｂ）は本発明の第二の実施形態を示す斜視図である。図３（Ａ）においては、公知の手段であるが、矩形の厚紙からなる吊着用の第二台紙１３の上縁部に所定幅の折り返し部１４を設け、該折り返し部１４を長手方向に連続釣支する支持溝１５と、その向かい側に前記暦葉束１から切り離した最表部の一月暦葉８の上縁部９を挿着挟持する挿着挟持部１６を長手方向に連続して配設した構造の弾性変形可能なホルダー１７を設けている。
【００１５】
この結果、図３（B）の通り、一月暦葉８と二月暦葉１０が同時に一覧でき、以後は図２（B）の説明と同種の作業で、一年を通して上下二段で当月と次月の順序が変動せずに、常に連続する二ヶ月分の暦を同時に一覧できる。また、ホルダー１７の中央上部には壁掛け用の釣り具１８が配設されている。
【００１６】
図４は、本発明の切り貼り式連続カレンダーの第三の実施形態を示す説明図である。図４の切り貼り式連続カレンダーの構造は、公知の手段であるが、所定枚数の暦葉を重ね合わせた暦葉束１の上端部２は切り離し可能な接着剤で綴合されており、該暦葉束１の上縁部１９を第二台紙１３の下縁部２０に当接し、それらをステープラー針２１で係着し、該ステープラー針２１の直下に切り離し用のミシン目線２２を設けている。
【００１７】
然る後、該ミシン目線２２で前記暦葉束１から切り離した最表部の一月暦葉８の上縁部９を、前記第二台紙１３の上縁部に配設されたホルダー１７の挿着挟持部１６に挿着挟持させることにより、一月暦８と二月暦１０が同時に一覧できる。以後は図２（B）の説明と同種の作業により、一年を通して上下二段で当月と次月の順序が変動せずに、常に連続する二ヶ月分の暦を同時に一覧できる。
【００１８】
図５は、本発明の切り貼り式連続カレンダーの第四の実施形態を示す説明図である。図５（Ａ）において、公知の手段であるが、所定枚数の二つ折りできる暦葉２３とその外側に該暦葉と略同形状の厚紙からなる表紙状の第三台紙２４を重ね合わせ、折り位置となる中心線２５に沿って所定方法で冊子状に綴合する。
【００１９】
図５（Ｂ）において、前記冊子状に綴合された冊子状暦葉束２６を前後に捲る場合、手前に来る頁に暦が記載され、上縁部に切り離し用のミシン目線２２があり、該ミシン目線の直下で該暦葉束中心部に暦葉小孔２７が最終暦葉まで打ち抜き形成されている。また最表部暦葉側の第三台紙２４の自由端縁中央部には壁掛け用の吊り下げ用小孔４を設けている。
【００２０】
然る後、図５（Ｃ）において、前記暦葉束２６から最表部の一月暦８を前記ミシン目線２２で切り離し、該一月暦葉小孔２７を前記第三台紙２４の吊り下げ用小孔４に当接し、吊着することにより、一月暦８と二月暦１０が同時に一覧できる。以後は図２（B）の説明と同種の作業により、一年を通して順序が変動せずに、常に連続する二ヶ月分の暦を同時に一覧できる。尚、前記暦葉束２６から切り離して第三台紙２４に定着させた当月暦葉の下端部２８が、ミシン目線２２に沿って残された残舌葉片２９に安定挟着されるよう、第三台紙２４の自由端辺３０から吊り下げ用小孔４までの長さは、ミシン目線２２から暦葉小孔２７までの長さよりやや長くすることが望ましい。
【００２１】
図６は、図１（Ｃ）の切り貼り式連続カレンダーの折り畳んだ状態の説明図である。本発明の切り貼り式連続カレンダーの吊着用台紙３には、係着された該吊着用台紙３と前記暦葉束１の全体を略半分に折り畳めるところに折り線６を設けているので、包装、流通、保管時に嵩張らず効率的である。また図示は省略したが、第二台紙１３にも同様の機能を果たす折り線６を設けているので、包装、流通、保管時に嵩張らず効率的である。
【００２２】
また、本発明の切り貼り式連続カレンダーは、以上説明した台紙と暦葉束との係着手段、並びに切り離された暦葉束最表部の暦葉と台紙との定着手段の組み合わせについては特に限定されるものではなく、必要に応じて選択することが可能である。尚、各図中の同一符号は同一または相当部分を示している。
【図面の簡単な説明】
【００２３】
【図１】本発明の切り貼り式連続カレンダーの第一の実施形態を示す説明図である。
【図２】図１のカレンダーにおける使用状態の説明図である。
【図３】本発明の切り貼り式連続カレンダーの第二の実施形態を示す説明図である。
【図４】本発明の切り貼り式連続カレンダーの第三の実施形態を示す説明図である。
【図５】本発明の切り貼り式連続カレンダーの第四の実施形態を示す説明図である。
【図６】図１の切り貼り式連続カレンダーの折り畳んだ状態の説明図である。
【図７】従来の二ヶ月カレンダーの一例を示す説明図。
【符号の説明】
【００２４】
１  暦葉束
２  暦葉束上端部    
３  吊着用台紙
４  吊り下げ用小孔                  
５  両面テープ          
６  折り線
７  糊付部                    
８  一月暦葉
９  一月暦葉上縁部
１０  二月暦葉
１１  二月暦葉上縁部
１２  三月暦葉
１３  第二台紙
１４  折り返し部
１５  支持溝  
１６  挿着挟持部
１７  ホルダー
１８  釣り具
１９  暦葉束上縁部
２０  第二台紙下縁部
２１  ステープラー針
２２  ミシン目線
２３  二つ折りできる暦葉
２４  第三台紙
２５  中心線
２６  冊子状暦葉束
２７  暦葉小孔
２８  当月暦葉の下端部
２９  残舌葉片
３０  第三台紙の自由端辺
３１  切り取り線
【図１】
2005297389.tif 000003
【図２】
2005297389.tif 000004
【図３】
2005297389.tif 000005
【図４】
2005297389.tif 000006
【図５】
2005297389.tif 000007
【図６】
2005297389.tif 000008
【図７】
2005297389.tif 000009